(57)【特許請求の範囲】
【請求項１】
電線導体と背板の周縁の全周が側板に囲まれた前面開口する住宅用分電盤の箱本体内にハンドルを前面側として配設される差込接続式の回路遮断器との間に介在し電線導体と回路遮断器とを電気的に接続する接続変換装置であって、前面側から見た形状が長方形状の基台であり長手方向の両端部にそれぞれ端子台を有する基台と、端子台に配設され電線導体を接続する端子ねじ付きの端子部および基台の短手方向の一側面から突出する形で配設され回路遮断器を差込接続する差込刃が段差部を介して連続一体に形成された２つの同形状の端子板とを備え、各端子板は互いの差込刃が厚み方向において対向し且つ差込刃の厚み方向の表裏が逆になる形で配設され、基台には短手方向の他側面に開口され各端子板それぞれの段差部と差込刃の基部とが収納される２つの収納溝が形成されてなることを特徴とする接続変換装置。
【請求項２】
前記各端子台それぞれの前面は取付面からの距離がそれぞれ異なる位置に形成されてなることを特徴とする請求項１記載の接続変換装置。
【請求項３】
少なくとも基台の前面側および前記他側面側を覆う絶縁材料よりなるカバーを前記基台に取着してなることを特徴とする請求項１または請求項２記載の接続変換装置。
【請求項４】
前記基台の前記他側面および前面に引掛突起を設けるとともに、引掛突起に引掛けられる引掛孔を前記カバーに設けてなることを特徴とする請求項３記載の接続変換装置。
【請求項５】
前記基台の前記他側面に設けた引掛突起は先端部が前記他側面に向かって延設され、前記基台の前面に設けた引掛突起は先端部が前記差込刃の突出方向へ延設されてなることを特徴とする請求項４記載の接続変換装置。
【請求項６】
背板の周縁の全周が側板に囲まれた前面開口する箱本体と、上下に操作されるハンドルを有しハンドルを前面側として箱本体内に配設される主幹開閉器と、主幹開閉器の負荷側端子に電気的に接続され左右方向に延長される形で箱本体内に配設される導電バーと、上下に操作されるハンドルを有しハンドルを前面側として箱本体内で上下２段に配置され電源側の端子部が導電バーに差込接続される複数の回路遮断器からなる分岐開閉器と、主幹開閉器に対して電源側の電路に電線導体を介して接続され左右方向において主幹開閉器に対して分岐開閉器とは反対側で前記基台の一側面が主幹開閉器に対向する形で箱本体内に配設される請求項１ないし請求項５のいずれかに記載の接続変換装置と、上下に操作されるハンドルを有し左右方向において主幹開閉器に対して分岐開閉器とは反対側で箱本体内で上下２段に配置され差込刃にそれぞれ上下から差込接続される２つの回路遮断器からなる一次送り開閉器とを備えてなることを特徴とする住宅用分電盤。
【発明の詳細な説明】
【０００１】
【発明の属する技術分野】
本発明は、電線導体と差込接続式（プラグイン式）の回路遮断器との間に介在し電線導体と回路遮断器とを電気的に接続する接続変換装置およびそれを用いた住宅用分電盤に関するものである。
【０００２】
【従来の技術】
一般に、集合住宅やマンション等の各需要家に使用される住宅用分電盤にあっては、各需要家内に設けられた火災報知器や消火設備等の非常用機器への電源を確保するできるように、主幹開閉器の一次側（電源側）から非常用電源を得る非常電源系を設けてあり、非常電源系には一次送り開閉器が挿入されている。ここに、一次送り開閉器は入力側が主幹開閉器の一次側に送り線を介して接続されている。
【０００３】
また、近年、本出願人は、分電盤の施工時間の短縮化を目的として、主幹開閉器の二次側（負荷側）に接続される分岐開閉器として電源側の接続方式が差込接続式（いわゆるプラグイン式）の回路遮断器を用いた分電盤（例えば、特開平１１−１８７５１７号公報参照）を提案している。このようなプラグイン式の回路遮断器では、電源側に端子ねじを用いずに電線導体を接続することができるので施工時間を短縮することができる。
【０００４】
【発明が解決しようとする課題】
ところで、分解開閉器と一次送り開閉器とで回路遮断器を共通化するために、一次送り開閉器としてもプラグイン式の回路遮断器を用いることが考えられるが、送り線は単なる被服電線であり、一次送り開閉器としては送り線の末端の電線導体を接続するねじ式の回路遮断器を使用しなければならず、一次送り開閉器をプラグイン式の回路遮断器とすることができなかった。
【０００５】
本発明は上記事由に鑑みて為されたものであり、その目的は、電線導体と差込接続式の回路遮断器との間に介在し電線導体と差込接続式の回路遮断器とを電気的に接続することが可能な接続変換装置およびそれを用いた住宅用分電盤を提供することにある。
【０００６】
【課題を解決するための手段】
請求項１の発明は、上記目的を達成するために、電線導体と背板の周縁の全周が側板に囲まれた前面開口する住宅用分電盤の箱本体内にハンドルを前面側として配設される差込接続式の回路遮断器との間に介在し電線導体と回路遮断器とを電気的に接続する接続変換装置であって、前面側から見た形状が長方形状の基台であり長手方向の両端部にそれぞれ端子台を有する基台と、端子台に配設され電線導体を接続する端子ねじ付きの端子部および基台の短手方向の一側面から突出する形で配設され回路遮断器を差込接続する差込刃が段差部を介して連続一体に形成された２つの同形状の端子板とを備え、各端子板は互いの差込刃が厚み方向において対向し且つ差込刃の厚み方向の表裏が逆になる形で配設され、基台には短手方向の他側面に開口され各端子板それぞれの段差部と差込刃の基部とが収納される２つの収納溝が形成されてなることを特徴とするものであり、端子台に配設され電線導体を接続する端子ねじ付きの端子部および基台の短手方向の一側面から突出する形で配設され回路遮断器を差込接続する差込刃が段差部を介して連続一体に形成された２つの同形状の端子板を備えていることにより、一次送り開閉器として差込接続式の回路遮断器を用いることができるから、分岐開閉器と一次送り開閉器とで同じ構成の回路遮断器を用いることができ、しかも、各端子板は互いの差込刃が厚み方向において対向し且つ差込刃の厚み方向の表裏が逆になる形で配設されているので、２つの端子板を共通化しながらも端子部と差込刃とを同一面上に形成するのに比べて差込刃間の絶縁距離を大きくでき、２つの端子板が共通化されていることで端子板の製造作業が容易になり低コスト化を図ることができるとともに部品管理が容易になる。また、各端子板の端子部と差込刃とが段差部を介して連続一体に形成され、基台には短手方向の他側面に開口され各端子板それぞれの段差部と差込刃の基部とが収納される２つの収納溝が形成されているので、段差部の厚み方向への端子板の移動を規制することができる。
【０００７】
請求項２の発明は、請求項１の発明において、前記各端子台それぞれの前面は取付面からの距離がそれぞれ異なる位置に形成されているので、端子板間の間隔をさらに広げることができ、絶縁距離を大きくすることができる。
【０００８】
請求項３の発明は、請求項１または請求項２の発明において、少なくとも基台の前面側および前記他側面側を覆う絶縁材料よりなるカバーを前記基台に取着してあるので、端子板の絶縁を図れる。
【０００９】
請求項４の発明は、請求項３の発明において、前記基台の短手方向の他方側および前面に引掛突起を設けるとともに、引掛突起に引掛けられる引掛孔を前記カバーに設けてあるので、前記カバーの取付作業が容易になる。
【００１０】
請求項５の発明は、請求項４の発明において、前記基台の前記他側面に設けた引掛突起は先端部が前記他側面に向かって延設され、前記基台の前面に設けた引掛突起は先端部が前記差込刃の突出方向へ延設されているので、前記カバーを前記基台の他側面に設けた引掛突起と前記基台の前記他側面との間で挟む形で引掛けることができ、前記カバーが外れにくくなる。
【００１１】
請求項６の発明は、背板の周縁の全周が側板に囲まれた前面開口する箱本体と、上下に操作されるハンドルを有しハンドルを前面側として箱本体内に配設される主幹開閉器と、主幹開閉器の負荷側端子に電気的に接続され左右方向に延長される形で箱本体内に配設される導電バーと、上下に操作されるハンドルを有しハンドルを前面側として箱本体内で上下２段に配置され電源側の端子部が導電バーに差込接続される複数の回路遮断器からなる分岐開閉器と、主幹開閉器に対して電源側の電路に電線導体を介して接続され左右方向において主幹開閉器に対して分岐開閉器とは反対側で前記基台の一側面が主幹開閉器に対向する形で箱本体内に配設される請求項１ないし請求項５のいずれかに記載の接続変換装置と、上下に操作されるハンドルを有し左右方向において主幹開閉器に対して分岐開閉器とは反対側で箱本体内で上下２段に配置され差込刃にそれぞれ上下から差込接続される２つの回路遮断器からなる一次送り開閉器とを備えてなることを特徴とするものであり、左右方向において主幹開閉器と接続変換装置との間に一次送り開閉器が位置することになるので、左右方向において接続変換装置の基台が一次送り開閉器よりも外側に位置し、接続変換装置の端子部への電線導体の接続作業が容易になる。
【００１２】
【発明の実施の形態】
本実施形態は、図４ないし図６に示すように、１つの主幹開閉器３１と複数の分岐開閉器３２と２つの一次送り開閉器３３とを内器として箱体１の中に配置した住宅用分電盤であって、分岐開閉器３２は上下２段に配置してある。箱体１は合成樹脂成形品であり矩形枠状の箱本体１０と、箱本体１０の前面側（図５における右側）に結合される蓋体２０とで構成される。
【００１３】
箱本体１０は矩形枠状に形成された背板１１の外周縁の全周に亘って側板１２が前方に突設された形状に形成され、背板１１には矩形状に開口した開口窓１３が形成される。背板１１の左右両端部にはそれぞれ上下２個の支持台１４ａ，１５ａが突設され、両支持台１４ａ，１５ａの周囲にはそれぞれ断面Ｌ字状であって矩形領域の角部をなすように配列されたガイド壁１４ｂ，１５ｂが形成される。上側の支持台１４ａには下方に隣接して背板１１からの突出寸法が支持台１４ａよりもやや大きい抜止ボス１４ｃが形成される。また、下側の支持台１５ａの周囲に設けたガイド壁１５ｂの前端面には下半分程度の受け片１５ｃが連続一体に形成されている。背板１１から受け片１５ｃまでの寸法は背板１１から支持台１５ａの先端面までの寸法よりもやや大きく設定されている。背板１１の開口窓１３の上下の周縁には左右方向に等ピッチで多数個の通し孔１６が形成される。また、開口窓１３における左右方向の中間部には上下の通し孔１６に螺合する固定ねじ１７ａを用いて中桟１７が取り付けられる。中桟１７には上下２個の載置台１８ａ，１９ａが形成され、下側の載置台１９ａには受け片１５ｃと同様に断面Ｌ字状に形成された受け片１９ｂが設けられる。
【００１４】
一方、蓋体２０は後端部外周面が箱本体１０の側板１２の前端部外周面にほぼ一致し、矩形状に形成された４個の窓孔２１ａ〜２１ｄが開口し、窓孔２１ａ〜２１ｃは箱本体１０に収納された主幹開閉器３１や分岐開閉器３２や一次送り開閉器３３のハンドル３１ａ，３２ａ，３３ａを前面側に露出させるために設けられている。
【００１５】
ところで、箱本体１０の背板１１に形成した開口窓１３の左側の支持台１４ａ，１５ａと中桟１７に設けた載置台１８ａ，１９ａとの間には主幹開閉器３１を取り付ける第１架台４０が架設され、開口窓１３の右側の支持台１４ａ，１５ａと中桟１７に設けた載置台１８ａ，１９ａとの間には分岐開閉器３２を取り付ける第２架台５０が架設される。第１架台４０と第２架台５０とは互いに連結され一体化される。
【００１６】
第１架台４０と第２架台５０とを連結した状態では全体として矩形状をなし、左側縁の上下両端部にそれぞれ支持片４１，４１を突設し、右側縁の上下両端部にそれぞれ支持片５１，５１を突設した形を有する。各支持片４１，５１には、支持台１４ａ，１５ａに螺入される取付ねじ２５（図６参照）の頭部の直径よりも大きい丸孔状の大径部の上縁の一部に取付ねじ２５の直径よりも幅狭の溝部が連続する鍵穴状に形成された取付孔４１ａ，５１ａがそれぞれ形成されている。したがって、各支持台１４ａ，１５ａに取付ねじ２５を緩く螺入した状態で、取付ねじ２５の頭部に取付孔４１ａ，５１ａの大径部を通し、取付ねじ２５の頭部を溝部に対応する部位までスライドさせた後に取付ねじ２５を締め付けることにより箱本体１０に第１架台４０および第２架台５０を容易に取り付けることができる。また、上述したように支持台１４ａ，１５ａの周囲にはガイド壁１４ｂ，１５ｂが形成されているから、第１架台４０の取付位置をガイド壁１４ｂ，１５ｂに合わせることで容易に位置決めできる。さらに、下側のガイド壁１５ｂおよび中桟１７にはそれぞれ受け片１５ｃ，１９ｂが形成されているから、第１架台４０および第２架台５０の一部を受け片１５ｃ，１９ｂの後面側に重複させれば、取付ねじ２５が万一外れても受け片１５ｃ，１９ｂで第１架台４０および第２架台５０の荷重を受けることができる。
【００１７】
取付孔４１ａ，５１ａの溝部に取付ねじ２５を挿入した状態では、取付孔４１ａ，５１ａの大径部に抜止ボス１４ｃが挿入されるように抜止ボス１４ｃの位置が設定されており、取付ねじ２５を締め付けた後には、支持片４１，５１は箱本体１０に対して回り止めされる。また、抜止ボス１４ｃが取付孔４１ａ，５１ａの大径部に挿入されることによって、取付ねじ２５が多少緩んでも支持片４１，５１が箱本体１０に対してがたつくのを防止することができる。たとえば、地震などの外部振動によって取付ねじ２５に緩みが生じたとしても、箱本体１０に対して第１架台４０および第２架台５０が移動したり脱落したりするのを防止することができる。
【００１８】
第１架台４０は、図６ないし図８に示すように、箱本体１０に形成した開口窓１３の上下の幅寸法よりも上下の幅寸法が小さい縦長の長方形状に板金（鉄板）により形成されている。第１架台４０の左側縁には上下一対の支持片４１が突設され、右側縁には上下一対の連結片４２が突設される。連結片４２には支持片４１と同様の鍵穴状の連結孔４２ａが形成され、連結孔４２ａの右側に隣接して止め孔４２ｂが形成されている。
【００１９】
第１架台４０の左側部には２個の連結孔４０ａが形成されている。本実施形態では、主幹開閉器３１が遮断された状態でも火災報知器などへの電源を確保することができるように、主幹開閉器３１の電源側（一次側）から主幹開閉器３１を通さずに電源を得る電源系を設けてあり、この電源系には箱本体１０に収納される内器としての一次送り開閉器３３が挿入される。一次送り開閉器３３は分岐開閉器３２と同構成を有するものであり、電源側には導電バー（後述する）が挿入接続されるスリット状の３つの端子部３４ａ〜３４ｃが設けられる。一次送り開閉器３３においては中央の端子部３４ｂには導電バーを接続する部材（受刃）が設けられておらず、端子部３４ａ，３４ｃのみが利用される。また、一次送り開閉器３３の器体には長手方向の一端面に取付溝３５が形成されている。
【００２０】
一次送り開閉器３３を箱本体１０に取り付ける部材としては、補助取付板６０が用いられる。補助取付板６０は上下方向に長い矩形状に形成され上下両端部に段差部６１を介して２個の連結片６２が延設されている。各連結片６２には連結孔６２ａが形成され、連結孔６２ａを通して第１架台４０に設けた連結孔４０ａに連結ねじ６３を螺合させることにより、第１架台４０に補助取付板６０が連結される。ここで、段差部６１を設けていることによって主幹開閉器３１と一次送り開閉器３３との高さの違いを吸収して、主幹開閉器３１においてハンドル３１ａが形成されている面と、一次送り開閉器３３においてハンドル３３ａが形成されている面とをほぼ同一面上に揃えることができる。
【００２１】
補助取付板６０は一次送り開閉器３３と左右方向の幅寸法がほぼ等しく形成され、補助取付板６０の上端部の前面には上段の一次送り開閉器３３の取付溝３５に挿入される取付係止片６４が切り起こして形成されている。また、補助取付板６０の下端部の前面には下段の一次送り開閉器３３の取付溝３５に挿入される取付係止板６７を取り付けるための固定孔６９が形成されており、固定ねじ６８を取付係止板６７に形成した挿通孔６７ａに挿通して固定孔６９に螺合することで係止取付板６７が固定されている。
【００２２】
補助取付板６０の長手方向の中間部の左端縁からは接続変換装置７０の基台７０ａを取り付けるための補助片６５が延設されており、補助片６５の長手方向の両端部にはそれぞれ固定孔６５ａが形成されている。
【００２３】
接続変換装置７０は、図１ないし図３および図８に示すように、２つの端子板７１が合成樹脂成形品の基台７０ａに挿入保持されている。接続変換装置７０は基台７０ａの長手方向を上下方向として箱本体１０の内部に配置され上下両端部にそれぞれ端子台７２ａ，７２ｂを有している。端子台７２ａ，７２ｂは取付面（補助片６５の前面）からの突出寸法が異なるように形成されており、取付面からの端子台７２ａの前面までの距離の方が端子台７２ｂの前面までの距離よりも長くなっている。
【００２４】
端子板７１，７１は、端子台７２ａ，７２ｂに配設され電線導体を接続する端子ねじ付きの端子部７１ｂおよび基台７０ａの左右方向（短手方向）の右側面から突出する形で配設され回路遮断器からなる一次送り開閉器３３の端子部３４ａ，３４ｃが上下から差込接続される差込刃７１ａが段差部７１ｃを介して連続一体に形成されている。端子台７２ａ，７２ｂの前壁には端子ねじ７３ａ，７３ｂが挿通される挿通溝７８，７８が形成され、端子部７１ｂ，７１ｂには端子ねじ７３ａ，７３ｂが螺合される端子孔７６，７６が形成されている。基台７０ａには端子板７１，７１を挿入保持するために左側面に開口した収納溝７０ｂが形成され、収納溝７０ｂ，７０ｂの開口縁には端子板７１，７１を保持する止め片７０ｃ，７０ｃが形成されている。基台７０における各収納溝７０，７０の底面には差込刃７１ａ，７１ａが挿通される挿通孔７０ｆ，７０ｆが形成されている。ここに、各収納溝７０ｂ，７０ｂは、端子板７１，７１における差込刃７１ａ，７１ａの基部と段差部７１，７１とが収納されるようにＬ字状に開口されており、段差部７１，７１が収納される部位の前後方向の寸法は同じ値に設定されている。また、段差部７１，７１が収納される部位は差込刃７１ａ，７１ａの厚み方向において差込刃７１ａ，７１ａ間の距離が大きくなる向きに沿って形成されている。
【００２５】
各端子板７１，７１の端子部７１ｂ，７１ｂには各端子ねじ７３ａ，７３ｂを用いて２本の接続線８４の電線導体が接続され、各端子板７１，７１は接続線８４を介して主幹開閉器３１の電源側端子３１ｂにおける一方の電圧極と中性極とにそれぞれ接続される。また、各端子台７２ａ，７２ｂの前面には端子部７１ｂ，７１ｂの周縁の一部が当接する立壁７２ｃ，７２ｄが立設されているので、端子ねじ７３ａ，７３ｂを締め付けるときに端子板７１，７１のがたつきを防止できる。
【００２６】
また、基台７０ａには補助取付板６０から延設された補助片６５の固定孔６５ａに対応する２個の取付片７４が形成され、取付片７４の挿通溝７４ａを通して挿入される固定ねじ７５を固定孔６５ａに螺合させることにより基台７０ａが補助片６５に固定される（つまり、補助取付板６０に固定される）。基台７０ａの前面および左側面には引掛突起７０ｄ，７０ｅが突設されており、断面コ字状に形成された絶縁材料からなるカバー７７の引掛孔７７ａ，７７ｂに引掛突起７０ｄ，７０ｅを係合させることによって、基台７０ａの前面および左側面および一次送り開閉器３３の上下方向における端子部３４ａ〜３４ｃ側を覆う形でカバー７７が基台７０ａに容易に取り付けられ、端子板７１，７１の絶縁を図れる。
【００２７】
ここに、引掛突起７０ｅは基台７０ａの前面から突出する部分と、その部分の先端から差込刃７１ａの突出方向へ延設される部分とを有する逆Ｌ字状の形状に形成されている。また、引掛突起７０ｄは基台７０ａの左側面から突出する部分と、その部分の先端から前方へ突出する部分とを有するＬ字状の形状に形成され、さらにそのＬ字状の部分の先端から差込刃７１ａの突出方向へ延設される部分が形成されている。すなわち、引掛突起７０ｄは、基台７０ａの左側面に向かって突出する部分を有している。ここに、引掛突起７０ｄにおいて差込刃７１ａの突出方向へ突出する部分の突出寸法は引掛突起７０ｅにおいて差込刃７１ａの突出方向へ突出する部分の突出寸法よりも小さく設定してある。
【００２８】
したがって、カバー７７は引掛突起７０ｅを引掛孔７７ｂに挿入した状態から左方向へスライドさせることで引掛突起７０ｅを引掛孔７７ｂの周部に重複させて引掛けるとともに、引掛突起７０ｄを引掛孔７７ａに挿入させて引掛けることにより、カバー７７が接続変換装置７０の基台７０ａに保持される。要するに、基台７０ａの左側面に突設された引掛突起７０ｄと前面に突設された引掛突起７０ｅとは引掛方向が同じになり、カバー７７の一部を引掛突起７０ｄと基台７０ａの左側面との間で挟む形で引掛けることができるので、カバー７７が外れにくくなる。なお、カバー７７には、各一次送り開閉器３３の前面であって端子部３４ａ〜３４ｃ側の端部にそれぞれ２つ突設された結束用突部３９が挿入される４つの挿通孔７７ｃが形成されている。
【００２９】
しかして、接続変換装置７０では、端子台７２ａ，７２ｂに配設され電線導体を接続する端子ねじ付きの端子部７１ｂ，７１ｂおよび基台７０ａの短手方向の一側面から突出する形で配設され回路遮断器を差込接続する差込刃７１ａ，７１ａが段差部７１ｃ，７１ｃを介して連続一体に形成された２つの同形状の端子板７１，７１を備えていることにより、一次送り開閉器３３として差込接続式の回路遮断器を用いることができるから、分岐開閉器３２と一次送り開閉器３３とで同じ構成の回路遮断器を用いることができ、しかも、各端子板７１，７１は互いの差込刃７１ａ，７１ａが対向し且つ差込刃７１ａ，７１ａの厚み方向の表裏が逆になる形で配設されているので、２つの端子板７１，７１を共通化しながらも端子部７１ｂ，７１ｂと差込刃７１ａ，７１ａとを同一面上に形成するのに比べて差込刃７１ａ，７１ａ間の絶縁距離を大きくでき、２つの端子板７１，７１が共通化されていることで端子板７１，７１の製造作業が容易になり低コスト化を図ることができるとともに部品管理が容易になる。
【００３０】
また、各端子板７１，７１の端子部７１ｂ，７１ｂと差込刃７１ａ，７１ａとが段差部７１ｃ，７１ｃを介して連続一体に形成され、基台７０ａには少なくとも段差部７１ｃ，７１ｃが収納される収納溝７０ｂ，７０ｂが形成されているので、段差部７１ｃ，７１ｃの厚み方向への端子板７１，７１の移動を規制することができる。
【００３１】
分岐開閉器３２を取り付ける第２架台５０は、板金（鉄板）により形成されたものであり、右端縁の上端部および下端部に支持片５１が突設され、左端縁の上端部および下端部に連結片５２が突設されている。支持片５１には上述したように鍵穴状の取付孔５１ａが形成されるが、連結片５２には連結突起５２ａが突設され、連結突起５２ａの右側近傍には止めねじ孔（図示せず）が形成されている。連結突起５２ａは第１架台４０の連結片４２に設けた連結孔４２ａにおける大径部に挿入され、上述の止めねじ孔には止め孔４２ｂを通して連結ねじ５３が螺合する。
【００３２】
したがって、第２架台５０の連結片５２の前面側に第１架台４０の連結片４２を重ね合わせ、連結突起５２ａを連結孔４２ａに挿入するとともに、止め孔４２ｂを通して連結ねじ５３を上述の止めねじ孔に螺合させることによって、第１架台４０と第２架台５０とが結合される。この構成によって、連結ねじ５３が多少緩んでも第１架台４０と第２架台５０とが外れることがない。
【００３３】
ところで、第２架台５０の前面側には合成樹脂成形品からなるバー支持部材８０が取着される。バー支持部材８０は中性極の導電バー９０ａと２本の電圧極の導電バー９０ｂ，９０ｃとの３本の導電バー９０ａ〜９０ｃが支持されている。バー支持部材８０に取り付けられた導電バー９０ａ〜９０ｃは主幹開閉器３１の負荷側端子３１ｃ，３１ｃ，３１ｃと電気的に接続される。負荷側端子３１ｃ，３１ｃ，３１ｃと導電バー９０ａ，９０ｂ，９０ｃとは端子ねじ９３，９６，９６を用いて外れないように接続される。
【００３４】
導電バー９０ａ〜９０ｃは分岐開閉器３２を接続するために設けられており、上述のように上下２段に８個ずつの分岐開閉器３２を配列している。分岐開閉器３２は一次送り開閉器３３と同様の形状であって、電源側にはスリット状の３つの端子部（図示せず）が設けられる。各分岐開閉器３２はそれぞれ各導電バー９０ａ，９０ｂ，９０ｃのうちの２本にのみ電気的に接続され、他の１本はダミーとして扱われる。なお、分岐開閉器３２はバー支持部材８０に固定される。
【００３５】
分岐開閉器３２がバー支持部材８０に固定された状態では、上下の分岐開閉器３２の間に隙間が形成される。この隙間を覆う形で分岐開閉器３２の前面には結束部材１００が取り付けられる。結束部材１００は導電バー９０ａに固定される。結束部材１００には上下の各分岐開閉器３２の前面に重なる部位まで延長された結束片１０３が形成され、結束片１０３の先端部に設けた切欠溝１０４が分岐開閉器３２の前面に突設された結束用突部３９に係合することによって、上下の分岐開閉器３２が結束片１０３に連結されるようにしてある。
【００３６】
上述したように、第１架台４０には主幹開閉器３１および一次送り開閉器３３が取り付けられ、第２架台５０には分岐開閉器３２が取り付けられている。分岐開閉器３２と一次送り開閉器３３とは同じ構成である。主幹開閉器３１と分岐開閉器３２と一次送り開閉器３３とは、いずれもハンドル３１ａ〜３３ａが前面側になるように配置され、かつハンドル３１ａ〜３３ａの開閉操作時の移動方向が上下方向となるように配置される。また、上下２段の分岐開閉器３２ではハンドルの開操作位置と閉操作位置との上下の位置関係が逆になるように配置してある。
【００３７】
また、本実施形態の住宅用分電盤では、左右方向において主幹開閉器３１と接続変換装置７０の基台７０ａとの間に一次送り開閉器３３，３３が位置することになるので、左右方向において接続変換装置７０の基台７０ａが一次送り開閉器３３，３３よりも外側（左方）に位置し、接続変換装置７０の端子部７１ｂ，７１ｂへの電線接続作業が容易になる。
【００３８】
【発明の効果】
請求項１の発明は、電線導体と背板の周縁の全周が側板に囲まれた前面開口する住宅用分電盤の箱本体内にハンドルを前面側として配設される差込接続式の回路遮断器との間に介在し電線導体と回路遮断器とを電気的に接続する接続変換装置であって、前面側から見た形状が長方形状の基台であり長手方向の両端部にそれぞれ端子台を有する基台と、端子台に配設され電線導体を接続する端子ねじ付きの端子部および基台の短手方向の一側面から突出する形で配設され回路遮断器を差込接続する差込刃が段差部を介して連続一体に形成された２つの同形状の端子板とを備え、各端子板は互いの差込刃が厚み方向において対向し且つ差込刃の厚み方向の表裏が逆になる形で配設され、基台には短手方向の他側面に開口され各端子板それぞれの段差部と差込刃の基部とが収納される２つの収納溝が形成されてなるものであり、端子台に配設され電線導体を接続する端子ねじ付きの端子部および基台の短手方向の一側面から突出する形で配設され回路遮断器を差込接続する差込刃が段差部を介して連続一体に形成された２つの同形状の端子板を備えていることにより、一次送り開閉器として差込接続式の回路遮断器を用いることができるから、分岐開閉器と一次送り開閉器とで同じ構成の回路遮断器を用いることができ、しかも、各端子板は互いの差込刃が厚み方向において対向し且つ差込刃の厚み方向の表裏が逆になる形で配設されているので、２つの端子板を共通化しながらも端子部と差込刃とを同一面上に形成するのに比べて差込刃間の絶縁距離を大きくでき、２つの端子板が共通化されていることで端子板の製造作業が容易になり低コスト化を図ることができるとともに部品管理が容易になるという効果がある。また、各端子板の端子部と差込刃とが段差部を介して連続一体に形成され、基台には短手方向の他側面に開口され各端子板それぞれの段差部と差込刃の基部とが収納される２つの収納溝が形成されているので、段差部の厚み方向への端子板の移動を規制することができるという効果がある。
【００３９】
請求項２の発明は、請求項１の発明において、前記各端子台それぞれの前面は取付面からの距離がそれぞれ異なる位置に形成されているので、端子板間の間隔をさらに広げることができ、絶縁距離を大きくすることができるという効果がある。
【００４０】
請求項３の発明は、請求項１または請求項２の発明において、少なくとも基台の前面側および前記他側面側を覆う絶縁材料よりなるカバーを前記基台に取着してあるので、端子板の絶縁を図れるという効果がある。
【００４１】
請求項４の発明は、請求項３の発明において、前記基台の短手方向の他方側および前面に引掛突起を設けるとともに、引掛突起に引掛けられる引掛孔を前記カバーに設けてあるので、前記カバーの取付作業が容易になるという効果がある。
【００４２】
請求項５の発明は、請求項４の発明において、前記基台の前記他側面に設けた引掛突起は先端部が前記他側面に向かって延設され、前記基台の前面に設けた引掛突起は先端部が前記差込刃の突出方向へ延設されているので、前記カバーを前記基台の他側面に設けた引掛突起と前記基台の前記他側面との間で挟む形で引掛けることができ、前記カバーが外れにくくなるという効果がある。
【００４３】
請求項６の発明は、背板の周縁の全周が側板に囲まれた前面開口する箱本体と、上下に操作されるハンドルを有しハンドルを前面側として箱本体内に配設される主幹開閉器と、主幹開閉器の負荷側端子に電気的に接続され左右方向に延長される形で箱本体内に配設される導電バーと、上下に操作されるハンドルを有しハンドルを前面側として箱本体内で上下２段に配置され電源側の端子部が導電バーに差込接続される複数の回路遮断器からなる分岐開閉器と、主幹開閉器に対して電源側の電路に電線導体を介して接続され左右方向において主幹開閉器に対して分岐開閉器とは反対側で前記基台の一側面が主幹開閉器に対向する形で箱本体内に配設される請求項１ないし請求項５のいずれかに記載の接続変換装置と、上下に操作されるハンドルを有し左右方向において主幹開閉器に対して分岐開閉器とは反対側で箱本体内で上下２段に配置され差込刃にそれぞれ上下から差込接続される２つの回路遮断器からなる一次送り開閉器とを備えてなるものであり、左右方向において主幹開閉器と接続変換装置との間に一次送り開閉器が位置することになるので、左右方向において接続変換装置の基台が一次送り開閉器よりも外側に位置し、接続変換装置の端子部への電線導体の接続作業が容易になるという効果がある。
【図面の簡単な説明】
【図１】本発明に係る接続変換装置の分解斜視図である。
【図２】同上の正面図である。
【図３】同上の側面図である。
【図４】同上を用いた住宅用分電盤の正面図である。
【図５】同上を用いた住宅用分電盤の分解斜視図である。
【図６】同上を用いた住宅用分電盤のカバーを取り外した状態の一部破断した正面図である。
【図７】同上を用いた住宅用分電盤の要部正面図である。
【図８】同上を用いた住宅用分電盤の要部分解斜視図である。
【符号の説明】
７０  接続変換装置
７０ａ  基台
７０ｂ  収納溝
７１  端子板
７１ａ  差込刃
７１ｂ  端子部
７２ａ，７２ｂ  端子台
７３ａ，７３ｂ  端子ねじ
７６  端子孔
【図１】
0003785943.tif 000002
【図２】
0003785943.tif 000003
【図３】
0003785943.tif 000004
【図４】
0003785943.tif 000005
【図５】
0003785943.tif 000006
【図６】
0003785943.tif 000007
【図７】
0003785943.tif 000008
【図８】
0003785943.tif 000009